【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】  ａ）０．７〜２．５μｍの近赤外波長領域において６０％以上の透過率を有し、かつ熱赤外波長領域において４０％以上の透過率を有するバインダーと；ｂ）０．３５〜０．７μｍの波長領域における可視光の４０％以上を吸収し、０．７〜２．５μｍの近赤外波長領域において４０％以上の後方散乱を示し、かつ熱赤外波長領域において６０％以下の吸光率を有する第１の顔料と；ｃ）熱赤外波長領域において４０％以上の後方散乱および／または反射率を有する第２の顔料とから成ることを特徴とするスペクトル選択性を有する塗膜。
【請求項２】  ａ）０．７〜２．５μｍの近赤外波長領域において７５％以上の透過率を有し、かつ熱赤外波長領域において５０％以上の透過率を有するバインダーと；ｂ）０．３５〜０．７μｍの波長領域における可視光の６０％以上を吸収し、０．７〜２．５μｍの近赤外波長領域において５０％以上の後方散乱を示し、かつ熱赤外波長領域において５０％以下の吸光率を有する第１顔料と；ｃ）熱赤外波長領域において５０％以上の後方散乱および／または反射率を有する第２顔料とから成る請求項１に記載のスペクトル選択性を有する塗膜。
【請求項３】  前記バインダーが、ａ）アクリル酸エステル、スチレンアクリレート、ポリエチレン、ポリエチレンオキシド、エチレン−アクリル酸共重合体、メタクリル酸エステル、ビニルピロリドン−酢酸ビニル共重合体、ポリビニルピロリドン、ポリイソプロピルアクリレート、ポリウレタン類、テルペン及びロジン樹脂系の水性分散液およびエマルジョン；ｂ）アクリル−、環化−およびブチル−ゴム、炭化水素樹脂、テルペン樹脂、ニトロ−、アセチル−及びエチル−セルロース、α−メチルスチレン−アクリロニトリル共重合体、ポリエステルイミド、アクリル酸ブチルエステル、ポリ（メタ）アクリル酸エステル、ポリウレタン類、脂肪族ポリウレタン類、クロロスルホン化ポリエチレンから成る溶剤含有バインダー；及びｃ）熱可塑性材料、から成る群の少なくとも１つの群から選択される、請求項１又は２に記載のスペクトル選択性を有する塗膜。
【請求項４】
ｃ）熱可塑性材料が、ポリオレフィン類およびポリビニル化合物から選択される請求項３に記載のスペクトル選択性を有する塗膜。
【請求項５】
ｃ）熱可塑性材料が、ポリエチレン、ポリプロピレン、テフロン（登録商標）及びポリアミドから選択される請求項４に記載のスペクトル選択性を有する塗膜。
【請求項６】  前記第１顔料が、ａ）鉛化合物、亜鉛化合物、鉄化合物、クロム化合物、カドミウム化合物、バリウム化合物、チタニウム化合物、コバルト化合物、アルミニウム化合物及びケイ素化合物、特に赤色酸化鉄、酸化クロムグリーン、酸化クロム水和物、ウルトラマリーンブルー及びシアン化鉄ブルーから選択された無機顔料；及びｂ）動物および植物由来天然染料ならびに合成有機染料および顔料から成る有機顔料、から成る群の少なくとも１つの群から選択された、前記請求項の何れかに記載のスペクトル選択性を有する塗膜。
【請求項７】  
有機顔料ｂ）が、特にモノアゾ顔料、ジアゾ顔料、インジゴ顔料、ペリレン類、キナクリドン類、ジオキサジン類、無金属フタロシアニン類、特にフタロシアニンブルーから選択される請求項６に記載のスペクトル選択性を有する塗膜。
【請求項８】  前記第１顔料が、透明または半透明顔料である前記請求項の何れかに記載のスペクトル選択性を有する塗膜。
【請求項９】  透明または半透明顔料が透明赤色酸化鉄および透明有機顔料から選択される請求項８に記載のスペクトル選択性を有する塗膜。
【請求項１０】  前記第２顔料が、板状粒子形状であり、かつａ）アルミニウム、アルミニウムブロンズ、アンチモン、クロム、鉄、金、イリジウム、銅、マグネシウム、モリブデン、ニッケル、パラジウム、白金、銀、タンタル、ビスマス、タングステン、亜鉛、スズ、青銅、黄銅、洋銀、ニッケル−クロム合金、ニコライト、コンスタンタン、マンガン及び鋼から選択された金属および／または金属合金；ｂ）アルミニウム、アルミニウムブロンズ、アンチモン、クロム、鉄、金、イリジウム、銅、マグネシウム、モリブデン、ニッケル、パラジウム、白金、銀、タンタル、ビスマス、タングステン、亜鉛、スズ、青銅、黄銅、洋銀、ニッケル−クロム合金、ニコライト、コンスタンタン、マンガン、鋼または導電性酸化第一スズから選択された金属および／または金属合金でコート及び／又は被覆された非導電性材料；及びｃ）少なくとも３層から成り、中間層が外側層よりも小さい屈折率を示し、かつ５〜２５μｍの波長領域において２０％以上の透過率を有する材料から選択された材料から成る積層顔料、から成る群の少なくとも１つの群から選択された前記請求項の何れかに記載のスペクトル選択性を有する塗膜。
【請求項１１】  
材料ｃ）が５〜２５μｍの波長領域において４０％以上の透過率を有する請求項１０に記載のスペクトル選択性を有する塗膜。
【請求項１２】  前記第２顔料が表面処理板状粒子金属顔料であり、当該顔料表面が、０．３５〜０．７μｍの波長領域における可視光の４０％を超える量を吸収し、０．７〜２．５μｍの近赤外波長領域において５０％を超える反射率を有し、かつ熱赤外波長領域において４０％を超える反射率を有するように表面処理された請求項１、２及び１０の何れかに記載のスペクトル選択性を有する塗膜。
【請求項１３】  当該顔料表面が、０．３５〜０．７μｍの波長領域における可視光の６０％を超える量を吸収し、０．７〜２．５μｍの近赤外波長領域において６０％を超える反射率を有し、かつ熱赤外波長領域において５０％を超える反射率を有するように表面処理された請求項１２に記載のスペクトル選択性を有する塗膜。
【請求項１４】  前記第２顔料が、ほぼ球形であり、かつ下記式で示される平均径を有する単結晶から実質的に形成される、請求項１〜９の何れかに記載のスペクトル選択性を有する塗膜。
【数１】
2002528591.tif 000001
（式中、ｎＴ１４は、波長１４μｍでの球形粒子の屈折率を示し、ｎＢ１４は、波長１４μｍでのバインダーの屈折率を示す。）
【請求項１５】  前記第２顔料が、硫化金属、セレン化金属、フッ化金属、金属炭酸塩、アンチモン化金属、酸化金属、チタン酸バリウム、バリウムフェライト、硫酸カルシウム、硫酸バリウム及びこれら物質の混合結晶から成る群より選択された、請求項１又は２に記載のスペクトル選択性を有する塗膜。
【請求項１６】  前記第２顔料が、硫酸バリウム及び硫化亜鉛の混合結晶である請求項１５に記載のスペクトル選択性を有する塗膜。
【請求項１７】  前記第２顔料が、１０〜１００μｍの粒径を有する中空小球からなり、その壁面が、アクリル酸エステル、スチレンアクリレート、アクリロニトリル共重合体、ポリエチレン、ポリエチレンオキシド、クロロスルホン化ポリエチレン、エチレン−アクリル酸共重合体、メタクリル酸エステル、ビニルピロリドン−酢酸ビニル共重合体、塩化ビニリデン共重合体、ポリビニルピロリドン、ポリイソプロピルアクリレート、ポリウレタン、環化ゴム、ブチルゴム、炭化水素樹脂、α−メチルスチレン−アクリロニトリル共重合体、ポリエステルイミド、アクリル酸ブチルエステル及びポリアクリル酸エステルから選択された少なくとも１種の材料から成る、請求項１又は２に記載のスペクトル選択性を有する塗膜。
【請求項１８】  前記第２顔料が１０〜３０μｍの粒径を有する中空小球からなる請求項１７に記載のスペクトル選択性を有する塗膜。
【請求項１９】  前記第２顔料が、単結晶および中空小球の混合物である、請求項１、２及び１４〜１７の何れかに記載のスペクトル選択性を有する塗膜。
【請求項２０】  バインダー中の前記第２板状粒子顔料が、表面の垂線に対し３０°〜６０°の角度をなして配向している、請求項１、２及び１０〜１８の何れかに記載のスペクトル選択性を有する塗膜。
【請求項２１】  つや消し効果のための更なる顔料を含有し、当該更なる顔料が、熱赤外波長領域において４０％以上の透過率を有すと共に、ほぼ球形であり、かつ実質的に下記式によって求められる平均径を有する単結晶から成る請求項１又は２に記載のスペクトル選択性を有する塗膜。
【数２】  
2002528591.tif 000002
（式中、ｎＴは、波長λでの球形粒子の屈折率を示し、ｎＢは、波長λでのバインダーの屈折率を示し、λは、可視光域の波長を示す。）
【請求項２２】  つや消し効果のための更なる顔料が、熱赤外波長領域において５０％以上の透過率を有する請求項２１に記載のスペクトル選択性を有する塗膜。
【請求項２３】  前記更なる顔料が、硫化金属、セレン化金属、フッ化物、炭酸塩、アンチモン化物、酸化金属、チタン酸バリウム、バリウムフェライト、硫酸カルシウム、硫酸バリウム及びこれら物質の混合結晶から成る群より選択される請求項１、２、２１及び２２の何れかに記載のスペクトル選択性を有する塗膜。
【請求項２４】  前記更なる顔料が、硫酸バリウム及び硫化亜鉛の混合結晶である請求項２３に記載のスペクトル選択性を有する塗膜。
【請求項２５】  前記つや消し用の更なる顔料として、不透明ポリマー顔料および／または有機顔料を使用し、前記ポリマー顔料または有機顔料は、熱赤外波長領域において３０％以上の透過率を有し、乾燥状態で空隙を有するか及び／又は形成し、平均径が０．２〜２．０μｍの範囲となるようなサイズを有する請求項１又は２に記載のスペクトル選択性を有する塗膜。
【請求項２６】  前記ポリマー顔料または有機顔料は、熱赤外波長領域において４０％以上の透過率を有し、平均径が０．４〜０．８μｍの範囲となるようなサイズを有する請求項２５に記載のスペクトル選択性を有する塗膜。
【請求項２７】  第１顔料に加えて、更に、透明赤色、緑色および青色顔料を含有する請求項１又は２に記載のスペクトル選択性を有する塗膜。
【請求項２８】  前記請求項の何れかに従ったスペクトル選択性を有する塗膜の、自動車フロントデポジット面（棚部）の被膜としての使用。